(57)【特許請求の範囲】
【請求項１】
室空間となる全床面と側壁の一部が、工場生産され、高強度鉄筋コンクリート製箱型ラーメン構造で住宅用寸法に規格化された短い四角筒状からなるボックスドフレーム（２）と、２枚の工場生産された略板状の鉄筋コンクリート製スラブ（６）とで構成され、
前記ボックスドフレーム（２）の底版（５）を、鉄筋コンクリート製スラブ（６）が跨いで敷設されているボックスフレームと鉄筋コンクリート製スラブとの組み合わせからなることを特徴とするボックスドフレームハウス。
【請求項２】
前記２枚の鉄筋コンクリート製スラブ（６）が、前記ボックスドフレーム（２）の底版（５）を跨ぎ、且つ、該鉄筋コンクリート製スラブ（６）のそれぞれ外側部に、ボックスドフレーム（２）の側壁（４）を嵌め込み可能な切り欠き（９）を形成し、ボックスドフレーム（２）の筒軸方向のそれぞれ両側下面に、ボックスドフレーム（２）の厚みと同じ高さの支持部（８）を形成することを特徴とする請求項１に記載のボックスドフレームハウス。
【請求項３】
前記鉄筋コンクリート製スラブ（６）と、前記ボックスドフレーム（２）との接合部と、２枚の鉄筋コンクリート製スラブ（６）との接合部に、それぞれ免震ゴム（１０）を挿入したことを特徴とする請求項１または２に記載のボックスドフレームハウス。
【発明の詳細な説明】
【技術分野】
【０００１】
本発明は、ボックスドフレームおよびサイディングボード材などにより構成されるプレハブハウスであるボックスドフレームハウスに関する。
【背景技術】
【０００２】
高強度鉄筋コンクリート製箱型ラーメン構造のボックスドフレームを主要構成部材とするボックスドフレームハウス（プレハブハウス）が、特開平９−３２３２５号公報において示されている。この公報に示されているものは別荘、店舗、低層住宅などの比較的小規模で、組立て可能な住戸ユニットや住戸グループを構成するプレハブハウスに供するものである。
【０００３】
そのような目的のために、所定の地盤改良工事が施工された敷地に複数箇のボックスドフレームを適宜に配置し、ボックスドフレーム間の壁、床、天井、屋根などをサイディングボード材などで結合し、開口部を同じくサイディングボード材などで塞いで適宜に窓あるいは戸を設けて室空間を形成するものである。
【特許文献１】特開平９−３２３２５号公報
【発明の開示】
【発明が解決しようとする課題】
【０００４】
従来のボックスドフレームハウスは以上のように構成されていたため、つぎのような課題が存在していた。すなわち、床に弱点が存在した。ボックスドフレーム間を連結する床として通常の木質系の床材あるいはサイディングボード材を使用した場合、ボックスドフレーム自体の強固な底面上に張られた床との間に、強度面で大きな差異が発生する。強度の高い材料を使用したり、ボックスドフレーム間の下地をボックスドフレームと同等になるようにコンクリートの打設などの補強工事を行えば、工事費が上がり、あるいは工期が長くなる。その結果、簡易な組立式のプレハブハウスとは言い難くなっていた。
【０００５】
本発明は以上のような課題を解決するためになされたものであり、床の強度を改善し、工事費を極力上げることなく、工期を延ばすことなく、組立て可能なプレハブハウスとしてのボックスドフレームハウスを提供することを目的とする。
【課題を解決するための手段】
【０００６】
本発明によるボックスドフレームハウスは、室空間の全床面が、筒軸を水平にして配置されたボックスドフレームの底版を跨いで敷設される鉄筋コンクリート製スラブにより構成されている。
【０００７】
詳細には、前記鉄筋コンクリート製スラブが、前記ボックスドフレームの底版を跨ぐ部分の外側部にボックスドフレームの側壁を嵌め込み可能な切欠きを形成され、ボックスドフレーム（２）の筒軸方向の両端下面にボックスドフレームの厚みと同じ高さの支持部を形成されている。
【０００８】
さらには、前記鉄筋コンクリート製スラブと前記ボックスドフレームとの接合部、鉄筋コンクリート製スラブと鉄筋コンクリート製スラブとの接合部に免震ゴムが挿入されている。
【発明の効果】
【０００９】
本発明によるボックスドフレームハウスは以上のように構成されていることにより、以下のような効果を得ることができる。
（１）ボックスドフレームハウスが、室空間の全床面をボックスドフレームの底版を跨いで敷設される鉄筋コンクリート製スラブにより構成されていることにより、全床面が同一の強度になった。
（２）鉄筋コンクリート製スラブは規格化されて工場生産されるので、安価で、工期を延ばすことなく、ボックスドフレームハウスを提供することが可能になった。
（３）鉄筋コンクリート製スラブがボックスドフレームの底版を跨ぐ部分の外側部にボックスドフレームの側壁を嵌め込み可能に切欠きを形成されていることにより、スラブとボックスドフレームとが地震などの際に相互にずれることなく、確実に連結されるようになった。
（４）鉄筋コンクリート製スラブがボックスドフレームの筒軸方向の両端下面にボックスドフレームの厚みと同じ高さの支持部を形成されていることにより、所定の地盤改良工事が施工された敷地に追加の補強工事を施工することなく、あるいは敷地の一部すなわちボックスドフレームの設置面およびスラブの支持部の設置面のみに同一レベルの下地処理を行うことにより、スラブを安定して設置することが可能になった。
（５）鉄筋コンクリート製スラブとボックスドフレームとの接合部、鉄筋コンクリート製スラブと鉄筋コンクリート製スラブとの接合部に免震ゴムが挿入されていることにより、地震などの際に地震動の伝達を減衰し、通常時においても、ボックスドフレームと鉄筋コンクリート製スラブとの間および鉄筋コンクリート製スラブ間の振動の伝達を減衰し、住宅品質の改善が図られた。
【発明を実施するための最良の形態】
【００１０】
以下、図面とともに本発明によるボックスドフレームハウスの好適な実施の形態について詳細に説明する。図１は本発明を適用するボックスドフレームハウスの基本構造物を示す斜視図であり、図２は本発明を適用するボックスドフレームハウスの基本構造物を示す断面図であり、図３は基本構造物を構成する鉄筋コンクリート製スラブの切欠きを形成された側の側面図であり、図４は基本構造物を構成する鉄筋コンクリート製スラブの平面図である。
【００１１】
図１および図２において、符号１で示すものはボックスドフレームハウスの強度部材で構成される基本構造ユニットであり、基本構造ユニット１は１体のボックスドフレーム２と２枚の鉄筋コンクリート製スラブ（以下の記述において、「スラブ」と略称する。）６とにより構成されている。ボックスドフレーム２は工場で生産される高強度鉄筋コンクリート製箱型ラーメン構造で、住宅用寸法に規格化された短い四角筒形状の製品である。
【００１２】
前記スラブ６は長方形平面の略板状の鉄筋コンクリート製部材であり、図３および図４に示すように、前記基本構造ユニット１として構成された場合の前記ボックスドフレーム２の筒軸方向における板部７の両端下面の全幅にわたって、ボックスドフレーム２の底版５の厚みと同一高さの支持部８が形成されている。また、底版５における板面部７の一方の外側部には、ボックスドフレーム２の側壁４を余裕を持って嵌め込み可能な切欠き９が形成されている。なお、切欠き９の深さは、ボックスドフレーム２の側壁４の厚みと同等あるいは以下・以上でもよい。また、スラブ６の幅は、２枚のスラブ６を横に並べ、切欠き９を側壁４に嵌め込みながらボックスドフレーム２の両側壁４の内側に余裕を持って設置可能な寸法に構成されている。このような構造のスラブ６は、切欠き９の筒軸方向の位置および深さを数種類に規格化され、工場生産される。
【００１３】
前記基本構造ユニット１は、前記ボックスドフレーム２が筒軸を水平にして所定の地盤改良をされた設置場所に配置されている。ボックスドフレーム２は頂版３が天井・屋根などの強度部位となり、両側の側壁４が耐震壁としての強度部位となり、底版５が床などの強度部位となる。ボックスドフレーム２には、２枚の前記スラブ６がボックスドフレーム２の底版５を跨ぎ、前記切欠き９が側壁４を嵌め込んで平行に並べて配置されている。また、ボックスドフレーム２の側壁４とスラブ６の切欠き９との嵌め込み部の隙間、スラブ６とスラブ６との接合部の隙間には、免震ゴム１０が挿入されている。
【００１４】
以上のように１体のボックスドフレーム２と２枚のスラブ６とで構成される基本構造ユニット１は、ボックスドフレームハウスの１つのユニットであり、単独でボックスドフレームハウスを構成してもよく、複数のユニットを直列状に、並列状に、あるいはＬ字状に配置して構成してもよい。また、複数ユニットを連結する場合には、スラブ６の支持部８を相互にボルトで結合することによって耐震性を向上させることもできる。このように構成される基本構造ユニット１は、壁、床、天井、屋根などをサイディングボード材などで結合され、開口部を同じくサイディングボード材で塞いで適宜に窓あるいは戸を設けて室空間を形成され、ボックスドフレームハウス（プレハブハウス）として完成される。
【産業上の利用可能性】
【００１５】
別荘、店舗、低層住宅などの比較的小規模で、組立て可能な住戸ユニットや住戸グループを構成するプレハブハウスに利用される。
【図面の簡単な説明】
【００１６】
【図１】本発明を適用するボックスドフレームハウスの基本構造物を示す斜視図である。
【図２】本発明を適用するボックスドフレームハウスの基本構造物を示す断面図である。
【図３】基本構造物を構成する鉄筋コンクリート製スラブの切欠きを形成された側の側面図である。
【図４】基本構造物を構成する鉄筋コンクリート製スラブの平面図である。
【符号の説明】
【００１７】
１  基本構造ユニット
２  ボックスドフレーム
３  頂版
４  側壁
５  底版
６  鉄筋コンクリート製スラブ（「スラブ」と略称する。）
７  板面部
８  支持部
９  切欠き
１０  免震ゴム
【図１】
0004665224.tif 000002
【図２】
0004665224.tif 000003
【図３】
0004665224.tif 000004
【図４】
0004665224.tif 000005